(57)【要約】【課題】  第１の課題は、排泄物の処理を真の意味で自動化して患者が楽に排便できるようにすること、また介護者の負担が軽減されるようにすることにある。またこの発明の第２の課題は、排泄物を装着具内に留めることなくして、汚れを付着させないようにすることにある。【解決手段】  排泄物処理アタッチメントが排便を感知するための屎尿センサーを備えており、該屎尿センサーからの排便感知信号を受けて給水ポンプをＯＮにすると共に吸入ポンプをＯＮにするように設定した制御回路を備えている、洗浄優先式排泄物吸引処理装置とした。【選択図】  図４
2005192973.tif 000002
【特許請求の範囲】
【請求項１】
肛門部および陰部に装着可能な排泄物処理アタッチメントが排出パイプを介して吸入ポンプの吸入口に接続されると共に、該吸入ポンプの排出口に排泄物タンクが設けられており、且つ前記排泄物処理アタッチメントに設けた洗浄口が洗浄水パイプを介して給水ポンプの給水口に接続されると共に、該給水ポンプの吸入口に洗浄水タンクが設けられている身体装着型の排泄物処理装置に於て、前記排泄物処理アタッチメントに排便排尿を感知するための屎尿センサーが設けられており、該屎尿センサーからの排便感知信号を受けて前記給水ポンプをＯＮにすると共に前記吸入ポンプをＯＮにするように設定した制御回路を備えていることを特徴とする、洗浄優先式排泄物吸引処理装置。
【請求項２】
前記排泄物処理アタッチメントにビデが設けられている、請求項１に記載の洗浄優先式排泄物吸引処理装置。
【請求項３】
前記ビデの温水口と前記洗浄口とを一体に設けて成る、請求項２に記載の洗浄優先式排泄物吸引処理装置。
【請求項４】
前記洗浄水タンクまたはこれに関連する部位に、洗浄水を暖めるためのヒーターが設けられている、請求項１に記載の洗浄優先式排泄物吸引処理装置。
【請求項５】
前記排泄物処理アタッチメントに吹出口が設けられており、この吹出口が送風パイプを介し送風ファンに接続されている、請求項１に記載の洗浄優先式排泄物吸引処理装置。
【請求項６】
前記排泄物処理アタッチメントに、前記制御回路に各種ポンプを動作させるための手動スイッチが設けられている、請求項１に記載の洗浄優先式排泄物吸引処理装置。
【請求項７】
前記制御回路側に、各種ポンプを動作させるための手動スイッチが設けられている、請求項１に記載の洗浄優先式排泄物吸引処理装置。
【請求項８】
さらに前記屎尿センサーに向けた噴射口を備えている、請求項１に記載の洗浄優先式排泄物吸引処理装置。
【請求項９】
前記屎尿センサーが複数個取り付けられている、請求項１に記載の洗浄優先式排泄物吸引処理装置。
【請求項１０】
前記屎尿センサーまで屎尿を誘導するための溝が、前記排泄物処理アタッチメントの内壁面部に設けられている、請求項１に記載の洗浄優先式排泄物吸引処理装置。
【請求項１１】
前記排泄物処理アタッチメントに、前記洗浄水パイプの洗浄口が複数個設けられている、請求項１に記載の洗浄優先式排泄物吸引処理装置。
【請求項１２】
排出パイプを取り付けるための接続口と、洗浄水パイプを取り付けるための噴射口とを備えている排泄物処理アタッチメントに於いて、前記給水ポンプおよび前記吸入ポンプの動作を制御する制御回路に接続するための屎尿センサーが設けられていることを特徴とする、肛門部および陰部に装着可能な排泄物処理アタッチメント。
【請求項１３】
さらにビデを設けるための接続部を備えている、請求項１２に記載の肛門部および陰部に装着可能な排泄物処理アタッチメント。
【請求項１４】
前記排泄物処理アタッチメントに、ビデの温水口と前記洗浄口とが一体に設けられている、請求項１３に記載の肛門部および陰部に装着可能な排泄物処理アタッチメント。
【請求項１５】
前記排泄物処理アタッチメントに、前記送風パイプの吹出口が設けられている、請求項１２に記載の肛門部および陰部に装着可能な排泄物処理アタッチメント。
【請求項１６】
さらに前記屎尿センサーに向けた噴射口を備えている、請求項１２に記載の肛門部および陰部に装着可能な排泄物処理アタッチメント。
【請求項１７】
前記屎尿センサーが複数個設けられている、請求項１２に記載の肛門部および陰部に装着可能な排泄物処理アタッチメント。
【請求項１８】
前記屎尿センサーに屎尿を導くための溝が排泄物処理アタッチメントの内壁部に設けられている、請求項１２に記載の肛門部および陰部に装着可能な排泄物処理アタッチメント。
【請求項１９】
排泄物処理アタッチメントの外部に、前記屎尿センサーの大凡の位置を示す目印が付されている、請求項１２に記載の肛門部および陰部に装着可能な排泄物処理アタッチメント。
【請求項２０】
前記排泄物処理アタッチメントの内面側の外周部分に、身体に密着する材料を用いたシール部を備えている、請求項１２に記載の肛門部および陰部に装着可能な排泄物処理アタッチメント。
【請求項２１】
さらにその外側の周縁部分に、吸水材料を着脱自在に取り付けて成る、請求項２０に記載の肛門部および陰部に装着可能な排泄物処理アタッチメント。
【発明の詳細な説明】
【技術分野】
【０００１】  この発明は、排泄物処理アタッチメント内を洗浄してこの汚水の吸引処理を行ないつつ排泄物の吸引処理をも行なうことを特徴とする、洗浄優先式排泄物吸引処理装置、並びに肛門部および陰部に装着可能な排泄物処理アタッチメントに関する。
【背景技術】
【０００２】  従来より自らトイレへ行けない病人や老齢者の排便のためにおまるが用いられて来た。部屋にいるまま、床についたままこのおまるの中に排便し、後から介護者などが排泄物をトイレに流し、おまるを洗浄するなどの処理を行なっている。また特開２００２−０５８６９２号のような患者の股に装着し、その中に溜まった排泄物をこの装着具に設けた排泄物吸引口から排泄物タンクへと吸引する排泄物処理装置がある。この装着具には内側面の中央部に形成され排泄物が溜まる凹部と、この凹部に接続され開口した洗浄ノズルと、上記凹部の底面に形成された排泄物吸引口とが設けられている。この装着具が接続される自動排泄物処理装置は、小ポンプと大ポンプとを備え、洗浄時以外は小ポンプが作動して暖かい空気を洗浄ノズルに送り、この空気は装着具内を適度に乾燥させた後、排泄物吸引口から吸引される。そして洗浄動作時であるタイマーＯＮ時またはリモコン操作によって小ポンプがＯＦＦとなり、大ポンプが作動して、装着具の凹部内部に排泄された排泄物の吸引が行なわれる。同時に所定の圧力で洗浄水を押し出して洗浄ノズルから噴射させ、排泄物を排泄物吸引口に向かって押し流し、排泄物が吸引除去される。
【特許文献１】特開２００２−０５８６９２号公報
【発明の開示】
【発明が解決しようとする課題】
【０００３】  しかしながら排便をおまるで取ると言うのは大変なことであり、漏れたり臭気に悩まされるなどの問題がある。またおむつを着用させてこの中で排便を行なわせる場合には、おむつの処理や患者の身体を綺麗に拭くことなどが極めて大変な作業となる。【０００４】  また特開２００２−０５８６９２号では、排泄物を一旦上記凹部に溜めておいて、次にタイマーがＯＮになる時か後々随時患者や介護者の判断でリモコン操作を行なった時に、この溜めて置いた排泄物の除去吸引処理が行なわれるが、この方式であると排泄と同時での除去吸引処理は行なうことができず、タイムラグが発生するために、患者にとっては気持ちの悪さを我慢しなくてはならないような状況が生ずる。また上記凹部に排泄物を溜めておくこと自体が汚れを付着させて落としにくくし、或いは綺麗に吸引除去することが出来なくなる原因ともなるのであるが、これに加えて小ポンプによる乾燥処理を排泄物を溜め置いている間に行なっている点も問題である。【０００５】  そこでこの発明の第１の課題は、排泄物の処理を真の意味で自動化して、患者が楽に排便できるようにすること、また介護者の負担が軽減されるようにすることにある。またこの発明の第２の課題は、排泄物を装着具内に留めることなくして、汚れを付着させないようにすることにある。
【課題を解決するための手段】
【０００６】  上記課題は、肛門部および陰部に装着可能な排泄物処理アタッチメントが接続口に接続した排出パイプを介して吸入ポンプの吸入口に接続されると共に、吸入ポンプの排出口に排泄物タンクが設けられており、且つ前記排泄物処理アタッチメントに設けた洗浄口が洗浄水パイプを介して給水ポンプの給水口に接続されると共に、給水ポンプの吸入口に洗浄水タンクが設けられている身体装着型の排泄物処理装置に於いて、前記排泄物処理アタッチメントに排便排尿を感知するための屎尿センサーが設けられており、該屎尿センサーからの排便感知信号を受けて前記給水ポンプをＯＮにすると共に前記吸入ポンプをＯＮにするように設定した制御回路を備えている、洗浄優先式排泄物吸引処理装置とすることにより達成される。【０００７】  給水ポンプをＯＮにすると洗浄水タンクから洗浄水を吸い上げて、これを洗浄水パイプを介して排泄物処理アタッチメントの洗浄口より流出させる。また吸入ポンプをＯＮにすると排泄物処理アタッチメント内の排泄物を吸い込んで、これを排出パイプを介して排泄物タンクへ送り込む。前記排泄物処理アタッチメントには大便や小便を感知するための屎尿センサーが取り付けられており、この屎尿センサーからの屎尿感知信号を受けて給水ポンプを動作させ、吸入ポンプを動作させる制御回路を備えていることにより、手動スイッチの操作を行なうことなく前記電動式の給水ポンプ及び吸入ポンプをＯＮ状態にすることができる。従って排泄物処理アタッチメントを肛門部および陰部に装着するだけですべての準備は完了であり、排便を始めると屎尿センサーと制御回路とでこれを感知して自動的に給水ポンプと吸入ポンプとをＯＮ状態にすることができる。この結果大便でも小便でも排泄物処理アタッチメント内に留まることなく、排便と同時に水洗されまた水洗されつつ排便を行なうと言うような処理スタイルとなる。【０００８】  これは身体に装着する排泄物処理装置としては正に画期的なことであり、洗浄を主眼とし、便を排泄物処理アタッチメント内に溜めることなく洗い流しながら吸い出す処理が行なわれるのである。便を排泄物処理アタッチメント内に溜めて置く方式は原始的であるとすら言える。またこれにより悪臭が外に漏れ出すことも極めて少なくなる。また大便には固いものから緩いものまで様々あるが、固いものであっても水洗により緩くしつつ吸い出すため、排泄物処理アタッチメント内に残ったり排出パイプ内に詰まったりすることがない。大量の排便にも対応することができる。また排便が薄められるため、肌に濃い便が触れる機会が少なくなると言う利点もある。【０００９】  なお給水ポンプと吸入ポンプとをＯＦＦ状態にするには、制御回路にタイマーを設けておき、ＯＮ状態の後に設定された時間が経過したらＯＦＦ状態とするように設定すればよい。またその間の任意の時期に手動スイッチを操作してＯＦＦ状態にし得るように構成してもよい。あるいは別途センサーを設けて排水が綺麗になったらＯＦＦ状態とするように設定してもよい。なお大便小便共に洗浄優先式の処理スタイルを採るようにしてもよいし、小便に付いては洗浄優先式とせずに従来からの通常処理スタイルとしてもよい。【００１０】  さて前記排泄物処理ア��ッチメントにビデが設けられているものとすることができる。すなわち前記排泄物処理アタッチメントにビデの温水口とビデの温風口とを設けて接続部とし、この接続部にビデ関連のパイプ類が接続されるようにした。前記温水口には温水パイプが接続され、この温水パイプは温水ポンプの給湯口に接続されると共に、温水ポンプの吸込口にビデ用タンクが設けられている。また前記温風口には温風パイプが接続され、この温風パイプは温風ファンに接続されている。温水ポンプや温風ファンは前記制御回路に接続されている。【００１１】  温水ポンプをＯＮにすると、温水がビデ用タンクから供給され、温水パイプを通って前記温水口より肛門および陰部に向けて射出される。温風ポンプをＯＮにすると、温風が温風ファンから温風パイプを通って、前記温風口より肛門および陰部に送風される。前記制御回路は前記給水ポンプと吸入ポンプとがＯＮに成ってから、設定された時間が経過したら温水ポンプのＯＮ／ＯＦＦや温風ファンのＯＮ／ＯＦＦを行なう、と言うように任意に設定することができる。なお肛門や陰部を洗浄した温水は前記排出パイプから排出される。同様に肛門や陰部の乾燥に使われた温風も前記排出パイプから排気される。なお前記ビデの温水口と前記洗浄口とを一つにまとめて設けることができる。この場合は後述するように洗浄水が温水であると好都合である。なお排泄物処理アタッチメントにビデが設けられていると、ビデの水によって肛門が刺激されて排便が促進されると言う状況が現われることがある。【００１２】  次に、前記洗浄水タンクまたはこれに関連するパイプなどの部位に、洗浄水を暖めるためのヒーターが設けられているものとすることができる。こうすることによって上述の水回りの処理を全て温水で行なうことができるようになる。大便小便を温水で洗い流したり、温水ビデがある場合にはこれで肌を洗浄すると同時に、その温水で排出パイプの中を洗浄することができるのである。【００１３】  次に、前記排泄物処理アタッチメントに吹出口が設けられており、この吹出口が送風パイプを介し送風ファンに接続されているものとすることができる。前記制御回路が送風ファンをＯＮにすると、送風パイプを介して送風されて吹出口より排泄物処理アタッチメント内に風が送られることになる。これにより水洗後の排泄物処理アタッチメント内や排出パイプの中を適度に乾燥させる設定が可能になる。なお送風ファンが温風を送るようにヒーターを設けることができる。またビデが設けられている場合には、ビデの温風口と前記吹出口とを一つにまとめて設けることができる。これ等の制御シーケンスは前記制御回路に設定することが可能である。【００１４】  次に、前記排泄物処理アタッチメントに、前記制御回路に各種ポンプを動作させるための手動スイッチが設けられているものとすることができる。これは制御回路に設定された制御シーケンスから外れて、例えば排泄物処理アタッチメント内を再度洗浄したい、再度ビデを使いたい、排泄物処理アタッチメント内を再度乾燥させたいなどの個別の要求に応えるためのものである。場合によっては患者自らがこの手動スイッチを操作することがあり得る。【００１５】  次に、前記制御回路側に、各種ポンプを動作���せるための手動スイッチが設けられているものとすることができる。これは上述した制御シーケンスから外れた個別の要求に応えるための設計である。この手動スイッチは主として介護者により操作されるものである。【００１６】  次に、前記洗浄口に付いて、さらに前記屎尿センサーに向けた噴射口を備えているものとすることができる。前記洗浄口からの洗浄水が、さらに屎尿センサーに向けて噴出されるように噴射口を設けるのである。元々この発明の洗浄優先式排泄物吸引処理装置では排泄物処理アタッチメント内を洗浄しつつ排泄物の吸引処理を行なうことを特徴とする、今までにない排泄物吸引処理装置であるため、屎尿センサーは常時清浄ではあるが、前記噴射口を設けることで万一汚れが付着したような場合にも対処できるようにしている。これにより屎尿センサーを更に洗浄し汚れを除去して、屎尿センサーが常に正常に働くようにするのである。【００１７】  次に、前記の屎尿センサーが複数個設けられているものとすることができる。上述したように屎尿センサーを設けることは有効であるが、屎尿センサーが複数個設けられているものとすると更に良い結果が得られる。すなわち屎尿センサーを２ヵ所にあるいは面上に配設することによって屎尿を検知する機会を増やすことができるのである。【００１８】  次に、前記屎尿センサーまで屎尿を誘導するための溝が、排泄物処理アタッチメントの内壁面部に設けられているものとすることができる。これは上述の複数個の屎尿センサーの設置と同様、排泄物処理アタッチメントの姿勢が傾くなどしても、屎尿がこの溝を伝って尿センサーに届く機会を増やすために設けたものである。【００１９】  次に、前記排泄物処理アタッチメントに、前記洗浄水パイプの洗浄口が複数個設けられているものとすることができる。洗浄口を２ヵ所にあるいは面上に配設することによって、洗浄水の届かない部位を無くしたり、特に洗浄水を多く流したい部位を作ったり、渦を発生させて洗浄力を強化することができる。【００２０】  ところで前記排泄物処理アタッチメントに付いて、排泄物処理アタッチメントの外部に、前記屎尿センサーの大凡の位置を示す目印が付されているものとするとよい。この目印が設けられている所の辺りに屎尿センサーがあることが直感的に分かるから、必要があればこの目印に従って屎尿アタッチメントの姿勢を調節することさえ可能になる。すなわちこの目印がなるべく下方へ来るようにすると良く、これによって屎尿が屎尿センサーに届く機会が増大する。【００２１】  次に、前記排泄物処理アタッチメントの内面側の外周部に、身体に密着し得る材料を用いたシール部を備えているものとすることができる。例えばラテックスゴムを用いてシール部を形成するのである。これにより前記排泄物処理アタッチメントの防水性が向上する。さらにその外側の周縁部分に、吸水材料の取付具を設けてもよい。例えばこの部位に凹溝を形成し、ここに高分子吸水材料を納めた紙製の吸水体を着脱自在に取り付けられるようにするのである。これによりさらなる防水性能が確保される。この例に上げた紙製の吸水体は、これを使い捨てるようにすると便利である。
【発明の効果】
【００２２】  この発明によれば排泄物処理が真の意味で自動化されており、患者が楽に排便できるようになると共に、介護者の負担が軽減されると言う効果を奏する。また大便でも小便でも排泄物処理アタッチメント内に留まることなく、排便と同時に水洗されまた水洗されつつ排便を行なうことを可能にしたので、排泄物が装着具内に留まることなく、汚れが付着することがないと言う効果を奏する。
【発明を実施するための最良の形態】
【００２３】（第１実施形態）
図１乃至図４を用いてこの発明の第１実施形態を表わすが、これは排泄物処理アタッチメント１を備えた洗浄優先式排泄物吸引処理装置であって、排泄物処理アタッチメント１内に設けられた屎尿センサー９２が排便を感知することで若くは吸入ポンプ６や排泄物タンク６４等を納めた本体側のスイッチ９５を押すことによって、排泄物処理アタッチメント１に排便されたものを排泄物タンク６４に吸い出すタイプの洗浄優先式排泄物吸引処理装置である。【００２４】  排泄物処理アタッチメント１は、図１で示すように、周縁部で身体に粘着するシール部１１が設けられており、その内側に排泄物を処理するための空間部１０が形成されている。この排泄物処理アタッチメント１の肛門部に対向する付近には接続口２が設けられておりこの接続口２に排出パイプ２０が接続されている。またこの肛門部に対向する付近に２、後述するビデ用の温水口４の近辺に１、計３の屎尿センサー９２が取付けられている。前記接続口２よりも背中寄りの部位には洗浄口３と吹出口５とが一体に、陰部の方に向けて設けられている。洗浄口３と吹出口５とは一体に形成された洗浄水パイプ３０と送風パイプ５０とに接続されている。また前記温水口４にはビデ用パイプ４０が接続されている。【００２５】  本体側のケース１２の中には吸入ポンプ６と排泄物タンク６４、給水ポンプ７と洗浄水タンク７４、送風ファン８が納められている。ケース１２に設けられた吸入口６０から内部に引いた吸入パイプ６１が吸入ポンプ６に接続されており、この吸入ポンプ６の排出口に接続された排出パイプ６２が排出口６３を介し排泄物タンク６４に接続されている。この排出口６３はネジ込み式のものであり排泄物タンク６４から取り外すことができる。この排泄物タンク６４はケース１２から取り出し可能に納められている。ケース１２に一体に設けられた給水口７０と送風口８０にはビデ用パイプ４０、洗浄水パイプ３０、送風パイプ５０が接続さけている。この内洗浄水パイプ３０と送風パイプ５０とは、給水口７０と送風口８０と同様で共用であり、この何れかを専用し得るように両者を切り替えるための電磁弁９４が設けてあり、電磁弁９４から給水パイプ７１と送風パイプ８１とに分岐されている。給水パイプ７１は給水ポンプ７に接続されており、この給水ポンプ７は吸入パイプ７２を介してネジ込み式の吸入口７３に接続され、吸入口７３は洗浄水タンク７４に着脱自在に取付けられている。なおこの洗浄水タンク７４には温水を得るためのヒーター９３が取付けられている。送風パイプ８１は送風ファン８に接続されている。この送風ファン８は吸気口８２から空気を吸い込んで、図示しないヒーターによって適温に暖められつつ送風される。【００２６】  またケース１２は上述した排泄物処理アタッチメント１の屎尿センサー９２からの信号を受けて各種のポンプを制御する制御回路９０（屎尿感知回路である）を内蔵している。各種のポンプには図示しない電源コードが接続されており家庭用の外部電源から電力の供給が受けられるようになっている。また制御回路９０から屎尿センサー９２への配線はリード線９１で行なわれている。なお符号９７は手動のスイッチであり制御回路９０に接続されており、図４の処理シーケンスを開始する屎尿センサー９２以外のトリガーとなる。また制御回路９０には制御部９及び設定部９６が構築されており、設定部９６にて図４の処理シーケンス等の設定変更を行なうことができる。何れにしてもこの発明が主眼とする洗浄優先式の処理シーケンスになる。この他制御部９には前記屎尿センサー９２、電磁弁９４、各種のポンプ６，７，８、ヒーター９３が接続されている。ここでは屎尿センサー９２へのリード線９１は排出パイプ２０に添わせているが、排出パイプ２０と一体化するようにしてもよい。なお洗浄水パイプ３０及び送風パイプ５０とビデ用パイプ４０と排出パイプ２０とは、別々の状態で１本に束ねたり、太いパイプの中にリード線９１と共にまとめて納めたりと、任意の構成を採用することが可能である。【００２７】  さてこの排泄物処理アタッチメント１は図示しないバンドで身体に装着され、その装着箇所は肛門部および陰部をカバーする部位とする。そして患者が排泄物処理アタッチメント１に排便を開始し、大便や小便が屎尿センサー９２に到達したことを屎尿センサー９２が感知すると（ステップＳ１）、先ず給水ポンプ７をＯＮにして洗浄処理を開始し（ステップＳ２）、直ぐ続いて吸入ポンプ６をＯＮにして排水処理を開始する（ステップＳ３）。これによって排泄物処理アタッチメント１内を洗いながら排便を行なわせることが出来、便を薄めて排出させることが出来るのである。ここでは屎尿センサー９２が感知してから３分と言う時間が設定されており、この時間が経過したか否かをタイマーが監視して、この設定時間が経過したら（ステップＳ４）、吸入ポンプ６はＯＮのまま給水ポンプ７をＯＦＦにして洗浄を停止し（ステップＳ５）、続いて送風ファン８をＯＮにして温風の送風を開始する。またこれについても送風ファン８をＯＮにしてから５分と言う時間が設定部９６にて設定されているため、この時間が経過したか否かをタイマーが監視して、この設定時間が経過したら（ステップＳ７）、送風ファン８をＯＦＦにして送風を停止する（ステップＳ８）。なおこの間は吸入ポンプ６がＯＮのまま排気を担当している。続いて吸入ポンプ６をＯＦＦにしてこの排気処理を停止し（ステップＳ９）、終了する。制御部９は次に屎尿センサー９２が感知するのを待つことになる。なおこの実施形態では吸入ポンプ６が排気を担当している時には、排出口６３から排気されるようにしているが、ここでは図示を省略する。これに対して別途排気口を設ける設計も可能である。【００２８】  なおこの処理シーケンスでは、電磁弁９４を常に開放して給水パイプ７１からの温水は洗浄水パイプ３０とビデ用パイプ４０との双方に同時に送られるように設定してある。従ってステップＳ２で洗浄処理を開始すると同時に温水口４からビデ用の温水を肛門部および陰部に噴射する。これはまた排便を促進する刺激となる場合がある。なお温水の温度管理は制御部９がこれを行なう。なお上述した電磁弁９４を活用して、洗浄処理の間はビデ用パイプ４０への温水給水を断っておき、洗浄処理を終了したら電磁弁９４を切り替えて洗浄水パイプ３０への温水給水を断ち、代わりにビデ用パイプ４０への温水給水を行なうように設定してもよい。ビデについてもタイマーによる計��を利用する。【００２９】  なお排泄物タンク６４に一定量の排泄物が溜まったならば、排泄物タンク６４から蓋部である排出口６３取りを外し、排泄物タンク６４だけをケース１２から取り出して排泄物を処理し、再びケース１２内にセットすればよい。また洗浄水タンク７４内の洗浄水の量が少なくなったら、ケース１２から取り出して給水しまたケース１２内にセットすればよい。【００３０】（第２実施形態）
図５を用いてこの発明の第２実施形態の排泄物処理アタッチメント１を表わすが、このものは上述の第１実施形態の排泄物処理アタッチメント１に於ける洗浄水パイプ３０、ビデ用パイプ４０、送風パイプ５０を１本にまとめて、排泄物の排出以外の各処理のために共用にしている点に特徴を有する。なお排泄物を溜める目的ではないが、遊水池のような凹部を設けておき、万一の場合でも排泄物が溢れないようにする構成を追加してもよい。【００３１】  またこの実施形態で特徴的な点に、排泄物処理アタッチメント１の前側（図５の左側）の端部付近に手動のスイッチ９７を設けていることが上げられる。このスイッチ９７はリード線９１で制御回路９０に接続されており、処理シーケンスを開始する屎尿センサー９２以外のトリガーとなるものである。従って患者なり介護者なりがこのスイッチ９７を用いて排泄物処理を開始することができるのである。【００３２】（第３実施形態）
この実施形態の排泄物処理アタッチメント１３の特徴は、パンツのように着用してしまう点にある。全体は硬質プラスチックから成型され、ウエストや両脚を通す孔を有し、両脚を通す孔の間に排出パイプ２０、洗浄水パイプ３０及び送風パイプ５０、ビデ用パイプ４０が接続されている。なお符号９８は、排泄物処理アタッチメント１３の内部の屎尿センサーの大凡の位置を示すマークである。【００３３】  またウエストや両脚を通す孔に於ける防水性を確保して、排泄物処理アタッチメント１３の内部を液密に保つために、各孔の内側にぐるりとラテックスゴム製のシール部１４を設け、その外側にぐるりと吸水紙１６を固定するための装着溝１５を設けて成る。各吸水紙１６はリング形状を呈し、万−シール部１４を染み出てくる水分があるような場合にはこれを吸収してしまう。吸水紙１６は装着溝１５に対して着脱自在とされているために、吸水紙１６が汚れたら新しいものに交換することができる。【００３４】  なおこの第３実施形態では排泄物処理アタッチメント１３の全体が硬質プラスチックから成型されているが、尻部を支えて浮かす部分のみ硬質プラスチックとして、他の部分を防水性のプラスチックシートに代える構成が可能である。この場合もシールに注意して内部を液密に保つようにする。【００３５】（第４実施形態）
次に図７を用いてこの発明の第４実施形態の排泄物処理アタッチメントを説明する。排泄物処理アタッチメントの内側の底部に、さらに一段低い低底部１７を形成して、この低底部１７に３方から接続する導入溝１８を形成し、前記低底部１７の中央部に屎尿センサー９２を設けて成る。この構成によれば、患者の体位が傾むくなどして排泄物処理アタッチメントが傾斜姿勢を取るような場合でも、導入溝１８を伝わって屎尿が屎尿センサー９２に触れる機会を増大することができる。【００３６】  さらに、３ある導入溝の中の１の導入溝１８に添わせて洗浄口３を設けている点にも特徴がある。すなわちここから洗浄水を噴射して屎尿センサー９２に当たるようにしているため、屎尿センサー９２を更に洗浄し汚れを除去して常に正常に働くようにすることが可能になる。元々この発明の洗浄優先式排泄物吸引処理装置では排泄物処理アタッチメント内を洗浄しつつ排泄物の吸引処理を行なうことを特徴とする、今までにない排泄物吸引処理装置であるために、屎尿センサー９２は常時清浄ではあるが、前記洗浄口３を屎尿センサー９２に向けて設けることで、万一汚れが付着したような場合にもうまく対処できるようにしているのである。【００３７】  なおこのような導入溝１８を屎尿センサー９２のためではなく、前記接続口２に屎尿を導くために必要なものとして設けてもよい。例えば図７を用いることで図示を省くが屎尿センサー９２の代わりに接続口２を設けるのである。これによれば排泄物処理アタッチメントの姿勢が傾くなどしても、残りの屎尿がこの接続口２にこの導入溝１８を伝って届くようにする機会を増やすことが可能である。なおこれと同様の考え方に基づくものとして次の第５実施形態を上げる。【００３８】（第５実施形態）
次に図８はこの発明の第５実施形態の排泄物処理アタッチメント１を表わす。排泄物処理アタッチメントの最底部（肛門寄りの部位）の中央部と、それよりも上方（図の上方）の片側部との計２ヵ所に洗浄口３が設けられており、２ヵ所の洗浄口３は各々洗浄水パイプ３０に接続されている。なお最終的にはこの２つの洗浄水パイプ３０は１本に統合されて給水口７０に接続されるものである。なお上方の洗浄口３のもう片側には上述した接続口２が設けられている。この他図中符号４は温水口を指し、符号９２は３つの屎尿センサーを指し、また符号１１は粘着性のシール部を指す。【００３９】  洗浄口３の上記の配置により、洗浄水を排泄物処理アタッチメント１内に効果的に回して洗浄することができるようになる。これは従来の水洗便器に於いて、水流を分けたり回したりすることで、水洗便器内をくまなく万遍なく洗浄しようとする構成と同じ考え方によるものである。なおまた、洗浄水パイプ３０回りに電磁弁を取り付けてこれを制御部９で制御し得るように構成し、通常の水流から脈流や間欠流を作り出すことができる。これによってより洗浄能力を高める設定が可能となる。また接続口２のノズル形状によっては、一点に集中するジェット水流や、広範に広がるシャワー水流や、渦を巻くサイクロン流や、複数箇所から噴出させる分散水流を作り出すことができるから、このノズルの制御を制御部９で行ない得るように構成してもよい。また１つのノズルに２又以上の又を形成すれば、例えば前後に向かう水流や左右に向かう水流などを自由自在に作り出すことができる。【００４０】  なおこの発明は上述した実施形態にのみ限定されないから、例えば上述の第１実施形態のステップＳ４に於けるタイマー監視に代えて、真水センサーを設けておきこれによって排便が終了しているか否かの判断を行なうように設定することが可能である。或いは排便量等を監視するセンサーを用いることも可能であり、屎尿センサーの種類や用いる数なども特に限定されない。なお上述したように、手動スイッチに付いてこれをリモコンとすることが出来る。またリモコンに上記タイマーの設定や、温水温度の設定、また上述したノズルの選択設定等が行ない得るようにしておくことも好ましい。【００４１】  また排泄物処理アタッチメントの素材や形状は任意であり、子供用、女性用、男性用の別や、サイズ別のものを揃えるようにしてもよい。またこの排泄物処理アタッチメント内に消毒液を供給するための口を別途設けたり、洗浄口をこの口に利用するなども可能である。このような構成を採用する場合には、排泄物吸引処理装置の本体部に消毒液タンクを設けるなどの追加構成を行なえばよい。【００４２】  また各種ポンプ類の選択やポンプ回りの構成も任意である。また独立した各種パイプをバンドで束ねたり、１本の大きなパイプの中に各種パイプを納めたり、同心円状にパイプを重ねるなどの構成が可能である。また電気的な配線に付いても同様である。排泄物吸引処理装置の本体部とアタッチメント部とをコネクタで着脱式にする場合には、これ等のパイプや配線の接続部の構造に付いては従来の同様の技術に倣えばよい。なお排泄物処理アタッチメントから屎尿が溢れないように、パイプやポンプの能力に���分な余裕を持たせた設計としておくことが好ましい。なお排泄物タンクや洗浄水タンクに車輪を取り付けることによって、この引き回しを楽にすることが出来る。なお排泄物吸引処理装置が個別に各種タンクを備えなくてもよいように、外部例えば病院内に集中設備を設けておきこの端末であるコネクタを病室の壁面に設けておき、ここに排泄物処理アタッチメントののパイプ類や配線を接続するようなシステムとすることも可能である。【００４３】  この他、排泄物吸引処理装置にバッテリーを搭載することで電源コードを不要とする構成も可能である。バッテリー以外には燃料電池を搭載するような構成も可能である。
【図面の簡単な説明】
【００４４】
【図１】第１実施形態の排泄物処理アタッチメント１の模式図である。
【図２】同実施形態の説明図である。
【図３】同実施形態のブロック図である。
【図４】同実施形態の動作フロー図である。
【図５】第２実施形態の排泄物処理アタッチメントの模式図である。
【図６】第３実施形態の排泄物処理アタッチメントの外観図である。
【図７】第４実施形態の排泄物処理アタッチメントの部分斜視図である。
【図８】第５実施形態の排泄物処理アタッチメントの説明図である。
【符号の説明】
【００４５】１    排泄物処理アタッチメント
１０  空間部
１１  シール部
１２  ケース
１３  排泄物処理アタッチメント
１４  シール部
１５  装着溝
１６  吸水紙
１７  低底部
１８  導入溝
２    接続口
２０  排出パイプ
３    洗浄口
３０  洗浄水パイプ
４    温水口
４０  ビデ用パイプ
５    吹出口
５０  送風パイプ
６    吸入ポンプ
６０  吸入口
６１  吸入パイプ
６２  排出パイプ
６３  排出口
６４  排泄物タンク
７    給水ポンプ
７０  給水口
７１  給水パイプ
７２  吸入パイプ
７３  吸入口
７４  洗浄水タンク
８    送風ファン
８０  送風口
８１  送風パイプ
８２  吸気口
９    制御部
９０  制御回路
９１  リード線
９２  屎尿センサー
９３  ヒーター
９４  電磁弁
９５  スイッチ
９６  設定部
９７  スイッチ
９８  マーク
【図１】
2005192973.tif 000003
【図２】
2005192973.tif 000004
【図３】
2005192973.tif 000005
【図４】
2005192973.tif 000006
【図５】
2005192973.tif 000007
【図６】
2005192973.tif 000008
【図７】
2005192973.tif 000009
【図８】
2005192973.tif 000010